(57)【要約】【課題】開封テープを引っ張った際に、開封テープに追従して包装フィルムが伸張することを有効に防止し、開封テープの配置位置に沿って容易かつ確実に包装フィルムを破断し、包装体を開封することが可能な使い捨て紙製品の包装体を提供する。【解決手段】使い捨て紙製品２Ａと、使い捨て紙製品２Ａを被包する包装フィルム４Ａと、包装フィルム４Ａに接合された開封テープ３０Ａと、包装フィルム４Ａに固定された、包装フィルム４Ａよりも伸張率の低い押さえ部材３２Ａと、を備え、押さえ部材３２Ａが、開封テープ３０Ａの少なくとも一の側縁に沿って配置されている包装体１Ａ。【選択図】図１Ａ
2010202275.tif 000002
【特許請求の範囲】
【請求項１】
使い捨て紙製品と、前記使い捨て紙製品を被包する包装フィルムと、前記包装フィルムに接合された開封テープと、前記包装フィルムに固定された、前記包装フィルムよりも伸張率の低い押さえ部材と、を備え、
前記押さえ部材が、前記開封テープの少なくとも一の側縁に沿って配置されている包装体。
【請求項２】
前記押さえ部材が、前記開封テープの両側縁に沿って配置されている請求項１に記載の包装体。
【請求項３】
前記押さえ部材が、枠状に形成されている請求項２に記載の包装体。
【発明の詳細な説明】
【技術分野】
【０００１】
本発明は、包装フィルムにより、複数の使い捨て紙製品が一体的に包装された包装体に関するものである。より具体的には、包装フィルムを開封するための開封テープが備えられた使い捨て紙製品の包装体に関するものである。
【背景技術】
【０００２】
ロール状衛生用紙（トイレットペーパー、キッチンペーパー、タオルペーパー、クッキングシート等）、カートン入り衛生用紙（ティシュペーパー等）、生理用ナプキン、使い捨ておむつ等の使い捨て紙製品は、複数の使い捨て紙製品が一体的に包装された包装体の状態で市販されている。
【０００３】
通常、このような包装体は、複数の使い捨て紙製品が多段に積層された状態で包装フィルムによって被包されている。そして、包装体の開封や使い捨て紙製品の取出しを容易とするために、包装フィルムに開封用のミシン目を形成した包装体が知られている（特許文献１〜３参照）。
【０００４】
しかし、これらの包装体は製造時や輸送時の衝撃によってミシン目が破断され、意図せず包装体が開封されてしまう場合があった。このような場合、包装フィルムは包装材としての用をなさなくなり、包装体が不良品になるといった問題がある。
【０００５】
そこで、ミシン目に代えて、包装フィルムに別体の開封テープを接合した包装体が提案されている。例えば、包装フィルムより強度が高い開封テープを包装フィルムの内表面に貼着した包装体が開示されている（特許文献４参照）。また、開封テープが包装フィルムの外表面に接着されてなる包装体も開示されている（特許文献５参照）。
【先行技術文献】
【特許文献】
【０００６】
【特許文献１】特開平８−１０４３５６号公報
【特許文献２】特開平８−２４４８２９号公報
【特許文献３】特開２００４−１８０２号公報
【特許文献４】特開２００３−３４１７２４号公報
【特許文献５】特開２００８−２３９２２２号公報
【発明の概要】
【発明が解決しようとする課題】
【０００７】
特許文献４又は５に記載の包装体はミシン目のような破断され易い脆弱部を有しておらず、開封テープを引っ張った際に初めて包装フィルムが引き裂かれ破断されるように構成されている。従って、意図せず包装体が開封されてしまう事態を有効に防止することが期待できる。
【０００８】
しかし、これらの包装体は、開封テープを引っ張った際に開封テープに追従して包装フィルムが伸張してしまうことに起因して、１）包装フィルムをうまく破断することができない、或いは、２）包装フィルムを意図する方向に破断することができない、という課題があった。
【０００９】
本発明は、このような従来技術の課題を解決するためになされたものであって、開封テープを引っ張った際に、開封テープに追従して包装フィルムが伸張することを有効に防止し、開封テープの配置位置に沿って容易かつ確実に包装フィルムを破断し、包装体を開封することが可能な使い捨て紙製品の包装体を提供するものである。
【課題を解決するための手段】
【００１０】
本発明者は、前記のような従来技術の課題を解決するために鋭意検討した結果、柔軟で伸び易い包装フィルムを補強するために、開封テープの配置位置に隣接するように、包装フィルムよりも伸張率の低い押さえ部材を配置することによって、上記課題が解決されることに想到し、本発明を完成させた。具体的には、本発明により、以下の包装体が提供される。
【００１１】
［１］  使い捨て紙製品と、前記使い捨て紙製品を被包する包装フィルムと、前記包装フィルムに接合された開封テープと、前記包装フィルムに固定された、前記包装フィルムよりも伸張率の低い押さえ部材と、を備え、前記押さえ部材が、前記開封テープの少なくとも一の側縁に沿って配置されている包装体。
【００１２】
［２］  前記押さえ部材が、前記開封テープの両側縁に沿って配置されている前記［１］に記載の包装体。
【００１３】
［３］  前記押さえ部材が、枠状に形成されている前記［２］に記載の包装体。
【発明の効果】
【００１４】
本発明の包装体は、開封テープを引っ張った際に、開封テープに追従して包装フィルムが伸張することを有効に防止し、開封テープの配置位置に沿って容易かつ確実に包装フィルムを破断し、包装体を開封することが可能である。
【図面の簡単な説明】
【００１５】
【図１Ａ】本発明の包装体の一の実施形態を模式的に示す概略斜視図である。
【図１Ｂ】図１Ａに示す包装体のＡ−Ａ’断面の一部を模式的に示す概略断面図である。
【図１Ｃ】図１Ａに示す包装体のＢ−Ｂ’断面の一部を模式的に示す概略断面図である。
【図２】本発明の包装体の別の実施形態を模式的に示す概略斜視図である。
【図３Ａ】本発明の包装体に用いる押さえ部材の一の形態を模式的に示す概略平面図である。
【図３Ｂ】本発明の包装体に用いる押さえ部材の別の形態を模式的に示す概略平面図である。
【図３Ｃ】本発明の包装体に用いる押さえ部材の更に別の形態を模式的に示す概略平面図である。
【図３Ｄ】本発明の包装体に用いる押さえ部材の更にまた別の形態を模式的に示す概略平面図である。
【発明を実施するための形態】
【００１６】
以下、本発明の包装体を実施するための形態について、図面を参照しながら具体的に説明する。但し、本発明はその発明特定事項を備える包装体を広く包含するものであり、以下の実施形態に限定されるものではない。なお、作図の都合上、図１Ｂ及び図１Ｃにおいては、開封テープ３０Ａと包装フィルム４Ａとの接合部を捨象した。
【００１７】
［１］本発明の包装体の構成：
本発明の包装体は、例えば、図１Ａ〜図１Ｃに示す包装体１Ａのように、使い捨て紙製品２Ａと、使い捨て紙製品２Ａを被包する包装フィルム４Ａと、包装フィルム４Ａに接合された開封テープ３０Ａと、包装フィルム４Ａに固定された、包装フィルム４Ａよりも伸張率の低い押さえ部材３２Ａと、を備え、押さえ部材３２Ａが、開封テープ３０Ａの少なくとも一の側縁に沿って配置されているものである。
【００１８】
本発明の包装体は、図１Ａ〜図１Ｃに示す包装体１Ａのように、包装フィルム４Ａの一部が包装フィルム４Ａよりも伸張率の低い押さえ部材３２Ａによって補強される。従って、包装フィルム４Ａが柔軟で伸び易い材質からなるものであっても、押さえ部材３２Ａ近傍に位置する包装フィルム４Ａの伸張が抑制される。また、押さえ部材３２Ａは開封テープ３０Ａに沿って配置されているので、開封テープ３０Ａを引っ張る際のガイド部材として機能する。従って、包装フィルム４Ａを意図する方向に確実に破断することができる。
【００１９】
［１−１］押さえ部材：
本発明の包装体は、図１Ａ〜図１Ｃに示すように、包装フィルム４Ａよりも伸張率の低い押さえ部材３２Ａを備えている。
【００２０】
押さえ部材は包装フィルム４Ａよりも伸張率が低ければよく、その条件を満たす限り、構成材質は特に限定されない。但し、成形や包装フィルムに対する固定の容易さを考慮すると、ポリエチレン（ＰＥ）、ポリプロピレン（ＰＰ）、ポリエチレンテレフタレート（ＰＥＴ）等の熱可塑性樹脂からなるフィルム（厚さ０．２ｍｍ未満）やシート（厚さ０．２ｍｍ以上）であって、硬質のものが好ましい。
【００２１】
なお、伸張率の具体的な値は特に限定されず、使用する包装フィルムに対して相対的に伸張率が低いものを用いればよい。例えば、ロール状トイレットペーパー包装用の包装フィルムとしては、厚さ５０〜１１０μｍのポリエチレンやポリプロピレン製フィルムが用いられることが多い。この場合、押さえ部材として、その包装フィルムと同じ材質からなり、厚さがその包装フィルムの厚さの３倍の１５０〜３３０μｍのフィルムを用いることができる。同様に、カートン入りティシュペーパーの包装フィルムとしては、厚さ１０〜３５μｍのポリエチレンやポリプロピレン製フィルムが用いられることが多い。この場合、押さえ部材として、その包装フィルムと同じ材質であってその厚さが包装フィルムの厚さの２倍の３０〜１０５μｍのフィルムを用いることができる。
【００２２】
図１Ａに示すように、押さえ部材３２Ａは開封テープ３０Ａの少なくとも一の側縁に沿って配置する必要がある。通常、開封テープは長尺形状に形成されるから、押さえ部材もこれに対応する長尺形状に形成されることになる。即ち、「開封テープの少なくとも一の側縁に沿って」とは、開封テープの長手方向に沿って配置することを意味する。この際、押さえ部材は、必ずしも開封テープと同じ長さに形成する必要はない。但し、押さえ部材の効果を確実に発揮させるため、開封テープのうち、少なくとも包装フィルムとの接合始端から接合終端までの部分をカバーする長さに形成することが好ましい。
【００２３】
開封テープの少なくとも一の側縁に沿って配置されている限り、押さえ部材の具体的な形状は特に限定されない。例えば、最もシンプルな形状としては、図３Ａに示す押さえ部材３２ＤのようなＩ字型（長尺の短冊状）のものを挙げることができる。この例では、開封テープ３０の図中右側の側縁に沿ってＩ字型の押さえ部材３２Ｄが配置されている。
【００２４】
また、図３Ａに示すようなＩ字型の押さえ部材３２Ｄの変形例として、図３Ｂに示す押さえ部材３２ＥのようなＵ字型（コの字型）のものを挙げることもできる。この形状は開封テープ３０の側縁に沿う部分に加えて、開封テープ３０の延長線と直交するように押さえ部材３２Ｅが張り出した形状である。この形状の押さえ部材は、図３Ａに示すようなＩ字型の押さえ部材３２Ｄと比較して、開封テープ３０と包装フィルム４の接合始端Ｅ１を開封テープ３０の延長線と直交する方向からも包囲して押さえることができる。従って、開封テープ３０を引っ張った際にその引っ張り力が接合始端Ｅ１に確実に伝達され、包装フィルム４を容易に破断することができる。また、接合終端Ｅ２側においても包装フィルム４の切れ目の伸展が押さえ部材３２Ｅで止まるため、必要以上に包装フィルム４を破断してしまうことがない。
【００２５】
なお、「接合始端」とは、開封テープと包装フィルムとを接合する接合部の一の端部であって、開封テープによる包装フィルムの破断が開始される側の端部を意味し、「接合終端」とは、前記接合部の他の端部であって、開封テープによる包装フィルムの破断が終了する側の端部を意味するものとする。例えば、図３Ａ〜図３Ｄに示す例では、タブ３４を引っ張ることによって開封テープ３０による包装フィルム４の開封（破断）が開始されるから、タブ３４に近い側の接合端が接合始端Ｅ１となる。なお、図３Ｂ及び図３Ｄに示す例では、接合終端Ｅ２は、押さえ部材３２Ｅ，３２Ｈの裏側に位置している。
【００２６】
本発明の包装体は、図３Ｃに示すように、押さえ部材３２Ｆ，３２Ｇが、開封テープ３０の両側縁に沿って配置されていることが好ましい。この形態では、開封テープ３０両側縁に配置された押さえ部材３２Ｆ，３２Ｇによって、開封テープ３０に作用する引っ張り力が押さえ部材３２Ｆ，３２Ｇの間の領域に集中的に作用させることができ、包装フィルム４が意図しない方向に破断されることを有効に防止することができる。即ち、図３Ａ及び図３Ｂに示す形態と比較して、開封テープ３０の配置位置に沿って包装フィルム４を破断するという効果が更に優れる。図３Ｃにおいては、図３Ａと同様のＩ字型の押さえ部材３２Ｆ，３２Ｇを開封テープ３０の左右両側に各１本ずつ配置した例を示している。
【００２７】
本発明の包装体は、図３Ｄに示すように、押さえ部材３２Ｈが、枠状に形成されていることが好ましい。図１Ａ〜図１Ｃに示す包装体１Ａ、図２に示す包装体１Ｂもこの形態を採用しており、枠状に形成された押さえ部材３２Ａ，３２Ｂを備えている。この形態は、図３Ｂに示すように押さえ部材３２ＥをＵ字型（コの字型）に形成する形態と、図３Ｃに示すように開封テープ３０の両側縁に沿って押さえ部材３２Ｆ，３２Ｇを配置する形態とを組み合わせた形態とも言え、両形態の効果を併せ持つものである。即ち、開封テープ３０の接合始端Ｅ１側においては引っ張り力を確実に伝達することができ、接合終端Ｅ２側では必要以上に包装フィルム４の切れ目が伸展し過ぎることがなく、開封テープ３０の配置位置に沿って包装フィルム４を破断するという効果が更に優れる。
【００２８】
押さえ部材は、接着剤による接着、加熱による融着（ヒートシール）、超音波による融着等の手段により、容易に剥離しないように包装フィルムに固定する。図１Ｂ及び図１Ｃに示す包装体１Ａは、図中「×」で示される接合部によって押さえ部材３２Ａの全面が包装フィルム４Ａに接合され、固定されている。
【００２９】
［１−２］開封テープ：
本発明の包装体は、図１Ａ〜図１Ｃに示す包装体１Ａのように、包装フィルム４Ａに接合された開封テープ３０Ａを備えている。
【００３０】
開封テープは、包装フィルムを開封するために使用されるテープ状部材である。包装フィルムに接合された開封テープを引っ張ることにより、これに接合された包装フィルムも追従して引っ張られるため、包装フィルムが引き裂かれて破断される。このような構造であれば、開封テープに引っ張り力を加えない限り包装フィルムが破断されることはなく、ミシン目のように意図せず包装フィルムが破断されてしまうことを有効に防止することができる。
【００３１】
開封テープの構成材料は特に限定されない。但し、引っ張った際に容易に千切れない程度の強度を有する材料であることが好ましい。例えば、包装フィルムと同様の樹脂材料からなるテープ、より具体的には、低密度ポリエチレン、無延伸ポリプロピレン、高密度ポリエチレン、延伸ポリプロピレン等の樹脂材料からなるテープを挙げることができる。中でも、延伸性や強度の面で、高密度ポリエチレン、延伸ポリプロピレンからなるテープが好ましい。なお、開封テープは、包装フィルムと同じ材質から構成されていてもよいし、異なる材質から構成されていてもよい。
【００３２】
開封テープは、包装フィルムに接合されている。より具体的には包装フィルムの内表面（使い捨て紙製品と接触する面）又は外表面（前記内表面と背向する面）に接合されている。中でも、図１Ａ〜図１Ｃに示すように、包装フィルム４Ａの外表面に開封テープ３０Ａが接合されていることが好ましい。このような形態は、包装フィルムの内表面に開封テープを接合する形態のように、包装フィルムの内表面側から外表面側に開封テープを貫通させて、開封テープの端部を包装フィルム外表面側に露出させる等の処理が必要ない。従って、包装体の構造も簡素なものとなり、包装体の製造も容易となる。
【００３３】
開封テープは、接着剤による接着、加熱による融着（ヒートシール）、超音波による融着等の手段により、容易に剥離しないように包装フィルムに接合する。この際、開封テープの剥離強度が包装フィルムの破断強度よりも高くなるように、包装フィルムに開封テープを接合することが好ましい。こうすることにより、開封テープを引っ張った際に開封テープのみが包装フィルムから剥離して、包装フィルムを破断できないといった不具合を生じ難くなる。接合力は接着剤の種類や融着の強度の他、包装フィルムとの接合部を断続的に形成して、その接合面積や接合のピッチを増減させることによっても調整することができる。
【００３４】
開封テープは、図１Ａに示すように、包装フィルム４Ａのうち多段又は多列に積層された複数の使い捨て紙製品２Ａの境界に沿って配置されていることが好ましい。このような形態では、使い捨て紙製品２Ａの境界に沿って包装フィルム４Ａが破断されるため、使い捨て紙製品２Ａを個別に取り出すことが容易となる。
【００３５】
例えば、図１Ａに示す包装体１Ａにおいては、複数の使い捨て紙製品２Ａ（ロール状トイレットペーパー１２）を列ごとに（即ち左右に）区切る境界に沿って開封テープ３０Ａが配置されている。そして、使い捨て紙製品２Ａを左右いずれの列からも容易に取り出すことができるようになっている。
【００３６】
ロール状衛生用紙を被包装物とする包装体においては、複数の使い捨て紙製品を列ごとに（即ち左右に）区切る境界に沿って開封テープを配置するのみでは、開封テープを容易に引っ張ることができず、包装フィルムをうまく破断できない場合がある。これは、１）開封テープを配置した前記境界近傍においては包装フィルムがロール状衛生用紙と接触しておらず浮いた状態にあること、２）包装フィルムは柔軟で伸び易い材質によって構成されていること、等の理由により、包装フィルムの開封テープ近傍の領域を押さえつけることが困難であることによる。
【００３７】
しかし、本発明の包装体は、図１Ａに示す包装体１Ａのように、開封テープ３０Ａに沿って包装フィルム４Ａよりも伸張率の低い押さえ部材３２Ａが配置されているため、柔軟で伸び易い包装フィルム４Ａを押さえ部材３２Ａで押さえながら、開封テープ３０Ａを引っ張ることができる。従って、複数のロール状衛生用紙（図示の例ではロール状トイレットペーパー１２）を列ごとに（即ち左右に）区切る境界に沿って開封テープ３０Ａを配置した場合でも、開封テープ３０Ａを容易に引っ張ることができ、包装フィルム４Ａをうまく破断することができる。
【００３８】
なお、図１Ａに示す包装体１Ａは、複数の使い捨て紙製品２Ａを列ごとに（即ち左右に）区切る境界に沿って開封テープ３０Ａを配置した例であるが、複数の使い捨て紙製品を段ごとに（即ち上下に）区切る境界に沿って開封テープを配置する形態も好ましい形態の一つである。例えば、図２と同様のカートン入りティシュペーパーを包装する包装体において、各々のカートン入りティシュペーパーの境界に沿って開封テープを配置してもよい。
【００３９】
本発明の包装体においては、図１Ａ及び図１Ｂに示す包装体１Ａのように、包装フィルム４Ａのうち、最上段の使い捨て紙製品２Ａを被包する部分から、最下段の使い捨て紙製品２Ａを被包する部分に至るまで開封テープ３０Ａが配置されていることが好ましい。
【００４０】
例えば、図１Ａ及び図１Ｂに示す包装体１Ａでは、包装フィルム４Ａのうち、最上段（上から１段目）の使い捨て紙製品２Ａを被包する部分から、最下段（上から３段目）の使い捨て紙製品２Ａを被包する部分に至るまで開封テープ３０Ａが配置されている。一方、図２に示す包装体１Ｂでは、包装フィルム４Ｂのうち、最上段（上から１段目）の使い捨て紙製品２Ｂを被包する部分から、最下段（上から５段目）の使い捨て紙製品２Ａを被包する部分に至るまで開封テープ３０Ｂが配置されている。包装体１Ａ、包装体１Ｂのように、開封テープ３０Ａ，３０Ｂ，３０Ｃの開封の起点が包装体１Ａ，１Ｂの上側にあると、包装フィルム４Ａ，４Ｂの開封が容易となるため好ましい。
【００４１】
開封テープの厚さや材質は包装フィルムの強度等を考慮して適宜設定すればよい。例えば、カートン入りティシュペーパーを被包装物とする場合には、その包装フィルムとして、厚さ１０〜３５μｍのポリエチレン製又はポリプロピレン製のフィルムが用いられる。この場合、開封テープとしては、例えば、その包装フィルムと同じ材質からなり、厚さがその包装フィルムの厚さの３倍の３０〜１０５μｍのポリエチレン製又はポリプロピレン製のフィルムを用いることができる。同様に、トイレットペーパー等のロール状衛生用紙を被包装物とする場合には、その包装フィルムとして、厚さ５０〜１１０μｍのポリエチレンやポリプロピレン製フィルムが用いられる。この場合、開封テープとしては、例えば、その包装フィルムと同じ材質からなり、厚さがその包装フィルムの厚さの３倍の１５０〜３３０μｍのフィルムを用いることができる。開封テープの幅は０．５〜５ｍｍとすることが好ましく、１〜３ｍｍとすることが更に好ましい。
【００４２】
開封テープには接合始端側の端部に開封テープを引っ張る際のきっかけとなるタブが付設されていることも好ましい。タブの形状は特に限定されず、指で摘み易いサイズ、形状に形成すればよい。図１Ａに示す包装体１Ａ、図２に示す包装体１Ｂにおいては、いずれも開封テープ３０Ａ，３０Ｂ，３０Ｃの接合始端Ｅ１側の端部に五角形状のタブ３４Ａ，３４Ｂ，３４Ｃが付設されている。
【００４３】
［２］本発明の他の部分の構成：
以下、本発明の包装体の他の部分について説明する。本発明の包装体は、使い捨て紙製品と、前記使い捨て紙製品を被包する包装フィルムと、を備える。
【００４４】
［２−１］使い捨て紙製品：
「使い捨て紙製品」は、本発明の包装体において被包装物となるものである。「使い捨て紙製品」の種類について特に制限はない。例えば、ロール状衛生用紙（ロール状トイレットペーパー、ロール状キッチンペーパー、ロール状タオルペーパー、ロール状クッキングシート等）、カートン入り衛生用紙（カートン入りティシュペーパー等）、生理用ナプキン、使い捨ておむつ等を挙げることができる。
【００４５】
本発明の包装体は、複数の被包装物が多段に積層された状態で包装されている。積層の形態としては、図１Ａに示す包装体１Ａのように、使い捨て紙製品２Ａが多列多段に積層されたものであってもよいし、図２に示す包装体１Ｂのように、使い捨て紙製品２Ｂが一列多段に積層されたものであってもよい。図１Ａに示す包装体１Ａは、使い捨て紙製品２Ａとしてロール状トイレットペーパー１２を包装した包装体の例である。この包装体１Ａにおいては、１２個のロール状トイレットペーパー１２が４列×３段に積層された状態で包装されている。一方、図２に示す包装体１Ｂは、使い捨て紙製品２Ａとしてカートン入りティシュペーパー１４を包装した包装体の例である。この包装体１Ｂにおいては、５個のカートン入りティシュペーパー１４が１列×５段に積層された状態で包装されている。
【００４６】
［２−２］包装フィルム：
包装フィルムの材質についても特に制限はなく、通常、包装袋に使用される低密度ポリエチレン、無延伸ポリプロピレン、高密度ポリエチレン、延伸ポリプロピレン等の樹脂を用いることができる。中でも、延伸性、強度、熱収縮性を有する点において、高密度ポリエチレン、延伸ポリプロピレンが好ましい。これらの材質からなる包装フィルムは、加熱により熱収縮させることができる。従って、被包装物となる使い捨て紙製品をラフに包装した後、加熱するのみで、被包装物の形状に合致したタイトな包装とすることができるという利点がある（シュリンク包装）。
【００４７】
フィルムの厚さは、被包装物の種類や重量によっても異なるが、カートン入りティシュペーパーを被包装物とする場合には、フィルムの厚さを１０〜３５μｍとすることが好ましい。また、トイレットペーパーのようなロール状衛生用紙の包装にはガセットチューブが利用されることが多い。この場合には、フィルムの厚さを５０〜１１０μｍとすることが好ましく、６５〜９０μｍとすることが更に好ましい。
【００４８】
包装体には、運搬用の把手が付設されていてもよい。通常、把手は、持ち運びの際の便宜のため、包装体の上面側に配置される。例えば、図１Ａに示す包装体１Ａは、包装体１Ａの上部に突出するように付設されたシート状の把手８Ａを備えている。この把手８Ａには、指を挿入するための孔１０が２つ形成されている。一方、図２に示す包装体１Ｂでは、包装体１Ｂに積層されるように帯状の把手８Ｂが付設されている。この把手８Ｂは、長手方向の両端部が包装フィルム４Ｂに接合されていて、把手８Ｂの長手方向中央部と包装フィルム４Ｂの包装体１Ｂ上面に位置する領域との間に指を差し込むことができるように構成されている。把手は、包装フィルムと一体的に形成されたものであってもよいし、包装フィルムとは別の部材を付設したものであってもよい。
【実施例】
【００４９】
［１］実施例１：
実施例１の包装体として、図１Ａ〜図１Ｃに示す包装体１Ａを製造した。使い捨て紙製品２Ａとしてはロール状トイレットペーパー１２を用いた。このロール状トイレットペーパー１２は、用紙幅１１４ｍｍ×ロール外径１１０ｍｍφのものであった。そして、１２個のロール状トイレットペーパー１２を４列×３段に積層した状態で包装した。包装フィルム４Ａとしては、高密度ポリエチレンからなる厚さ８０μｍのガセットチューブを利用した。
【００５０】
開封テープ３０Ａとしては、低密度ポリエチレンからなる幅２ｍｍ×長さ３７０ｍｍ×厚さ２４０μｍのテープを用いた。そして、包装フィルム４Ａのうち４列×３段に積層された１２個のロール状トイレットペーパー１２を列ごとに（即ち左右に）区切る境界に沿って包装フィルム４Ａの表面に開封テープ３０Ａを接合した。開封テープ３０Ａには、粘着剤を予め塗布し、この粘着剤によって包装フィルム４Ａの表面に接合し、この表面が包装フィルムの外表面となるように包装体を構成した。
【００５１】
また、開封テープ３０Ａは包装フィルム４Ａのうち、最上段（上から１段目）の使い捨て紙製品２Ａを被包する部分から、最下段（上から３段目）の使い捨て紙製品２Ａを被包する部分に至るまで配置した。
【００５２】
開封テープ３０Ａの接合始端Ｅ１側の端部にはタブ３４Ａを付設した。タブ３４Ａは厚さ０．５ｍｍのポリエチレン製シートにより構成した。タブ３４Ａの形状は五角形状とし、その面積は７５ｍｍ２とした。
【００５３】
押さえ部材３２Ａとしては、包装フィルム４Ａと同じ材質の高密度ポリエチレンからなるフィルムであって、その厚さが２４０μｍのフィルムを用いた。即ち、押さえ部材３２Ａとして、包装フィルム４Ａに比して伸張率が低いフィルムを用いた。
【００５４】
押さえ部材３２Ａは枠状に形成した。外形が１０ｍｍ×３６０ｍｍの略矩形状であり、その中央部に５ｍｍ×３５０の略矩形状の貫通部が形成されているものを用いた。この押さえ部材３２Ａは粘着剤を用いて包装フィルム４Ａの表面に接合させた。
【００５５】
そして、タブ３４Ａを摘んで押さえ部材３２Ａを押さえつつ開封テープ３０Ａを引っ張った結果、開封テープ３０Ａの配置位置に沿って容易かつ確実に包装フィルム４Ａを破断して包装体を開封することができた。
【産業上の利用可能性】
【００５６】
本発明の包装体は、例えば、ロール状衛生用紙（トイレットペーパー、キッチンペーパー、タオルペーパー、クッキングシート等）、カートン入り衛生用紙（ティシュペーパー等）、生理用ナプキン、使い捨ておむつ等の使い捨て紙製品を被包装物とする包装体として好適に用いることができる。
【符号の説明】
【００５７】
１Ａ，１Ｂ：包装体、２Ａ，２Ｂ：使い捨て紙製品、４，４Ａ，４Ｂ：包装フィルム、８Ａ，８Ｂ：把手、１０：孔、１２：ロール状トイレットペーパー、１４：ティシュペーパー、３０，３０Ａ，３０Ｂ，３０Ｃ：開封テープ、３２Ａ，３２Ｂ，３２Ｃ，３２Ｄ，３２Ｅ，３２Ｆ，３２Ｇ，３２Ｈ：押さえ部材、３４，３４Ａ，３４Ｂ，３４Ｃ：タブ、Ｅ１：接合始端、Ｅ２：接合終端。
【図１Ａ】
2010202275.tif 000003
【図１Ｂ】
2010202275.tif 000004
【図１Ｃ】
2010202275.tif 000005
【図２】
2010202275.tif 000006
【図３Ａ】
2010202275.tif 000007
【図３Ｂ】
2010202275.tif 000008
【図３Ｃ】
2010202275.tif 000009
【図３Ｄ】
2010202275.tif 000010